(57)【要約】【課題】ノートパソコンや携帯通信端末等を用い、移動先でのパソコン通信、インターネット接続を行うにあたって、不慮の回線使用料金の発生を回避する。【解決手段】電話番号を記憶する記憶手段と、発呼される電話番号を、回線への発呼が行われる前に認識する認識手段と、認識手段によって認識された電話番号が、記憶手段に記憶された電話番号と一致するか否かを比較する比較手段とを備える電話番号監視装置。比較手段による比較の結果、認識手段によって認識された電話番号が、記憶手段に記憶された電話番号と一致しない場合に、警告を発してもよく、認識手段によって認識された電話番号に代えて、記憶手段に記憶された電話番号を選択するようにしてもよい。記憶手段に記憶する電話番号を入力する入力手段を備えてもよく、この電話番号監視装置を携帯通信端末に内蔵させることもできる。【選択図】図２
2007104437.tif 000002
【特許請求の範囲】
【請求項１】
電話番号を記憶する記憶手段と、
発呼される電話番号を、回線への発呼が行われる前に認識する認識手段と、
該認識手段によって認識された電話番号が、前記記憶手段に記憶された電話番号と一致するか否かを比較する比較手段とを備えることを特徴とする電話番号監視装置。
【請求項２】
前記比較手段による比較の結果、前記認識手段によって認識された電話番号が、前記記憶手段に記憶された電話番号と一致しない場合に、警告を発する警告手段を備えることを特徴とする請求項１に記載の電話番号監視装置。
【請求項３】
前記比較手段による比較の結果、前記認識手段によって認識された電話番号が、前記記憶手段に記憶された電話番号と一致しない場合に、前記認識手段によって認識された電話番号に代えて、前記記憶手段に記憶された電話番号を選択する選択手段を備えることを特徴とする請求項１に記載の電話番号監視装置。
【請求項４】
前記記憶手段に記憶する電話番号を入力する入力手段を備えることを特徴とする請求項１、２又は３に記載の電話番号監視装置。
【請求項５】
請求項１乃至４のいずれかに記載の電話番号監視装置を内蔵したことを特徴とする携帯通信端末。
【発明の詳細な説明】
【技術分野】
【０００１】
本発明は、電話番号監視装置に関し、特に、携帯通信端末等を用いてインターネット等に接続するにあたって、携帯通信端末等の移動に伴う不慮の回線使用料金の発生を防止するために用いられる電話番号監視装置に関する。
【背景技術】
【０００２】
従来、パソコン通信を行ったり、インターネットへアクセスする機能を搭載したノートパソコンや、携帯通信端末等の機器は、操作者が、出張・旅行・外出等によって移動した際に、移動先で最も適した通信条件（近接地・料金面・混雑具合等）を容易に選択できるようにするため、複数のホスト局やブランチ局への接続電話番号を、メモリに記憶する機能を有するものが多い。これにより、操作者は、本端末によって通信を行う際に、普段生活している場所で接続する局と、移動先で最も適したブランチ局とを意識しながら選択するのが一般的である。
【発明の開示】
【発明が解決しようとする課題】
【０００３】
しかし、上記従来の方法では、局の選択が手動操作によることから、接続先の誤選択や、電話番号の誤入力によって、その操作場所に適さない接続を行なう危険性がある。特に、普段生活している場所で多用している接続先の電話番号を、無意識に旅先や外出先で選択してしまうといった誤操作をすることが多く、そのような場合には、莫大な通信料金の損失が発生するおそれがある。
【０００４】
例えば、普段生活している東京で最も適したインターネット接続サービス会社の東京ブランチ局の電話番号をＴｘとした場合、操作者は、Ｔｘの選択操作に慣れているため、出張先の大阪においても無意識にＴｘを選択する危険性がある。そのような場合には、大阪で最も適した大阪ブランチ局の電話番号Ｔｙを選択使用すべきところ、Ｔｘを使用したことによって予期しない通信費が発生することとなる。
【０００５】
そこで、本発明は、ノートパソコンや携帯通信端末等を用い、移動先でのパソコン通信や、インターネット接続を行うにあたって、不慮の回線使用料金の発生を回避することのできる電話番号監視装置を提供することを目的とする。
【課題を解決するための手段】
【０００６】
上記目的を達成するため、本発明は、電話番号監視装置であって、電話番号を記憶する記憶手段と、発呼される電話番号を、回線への発呼が行われる前に認識する認識手段と、該認識手段によって認識された電話番号が、前記記憶手段に記憶された電話番号と一致するか否かを比較する比較手段とを備えることを特徴とする。
【０００７】
そして、本発明によれば、電話番号監視装置であって、認識手段によって発呼される電話番号を認識し、記憶手段に記憶された電話番号と一致するか否かを比較手段によって比較することにより、発呼される電話番号が適切かどうかを監視することができる。
【０００８】
前記電話番号監視装置において、前記比較手段による比較の結果、前記認識手段によって認識された電話番号が、前記記憶手段に記憶された電話番号と一致しない場合に、警告を発する警告手段を備えることができる。これによって、発呼される電話番号が適切でない場合に、その旨警告することができる。
【０００９】
前記電話番号監視装置において、前記比較手段による比較の結果、前記認識手段によって認識された電話番号が、前記記憶手段に記憶された電話番号と一致しない場合に、前記認識手段によって認識された電話番号に代えて、前記記憶手段に記憶された電話番号を選択する選択手段を備えることができる。これによって、発呼される電話番号が適切でない場合に、適切な電話番号に発呼することができる。
【００１０】
前記電話番号監視装置において、前記記憶手段に記憶する電話番号を入力する入力手段を備えることができ、例えば、携帯通信端末の移動場所に適切な電話番号を入力することができる。
【００１１】
また、本発明は、携帯通信端末であって、前記いずれかの電話番号監視装置を内蔵したことを特徴とする。これによって、例えば、ノートパソコンや携帯通信端末等を用い、移動先でのパソコン通信や、インターネット接続を行うにあたって、不慮の回線使用料金の発生を回避することができる。
【発明の効果】
【００１２】
以上のように、本発明にかかる電話番号監視装置によれば、ノートパソコンや携帯通信端末等を用い、移動先でのパソコン通信や、インターネット接続を行うにあたって、不慮の回線使用料金の発生を回避することなどが可能となる。
【発明を実施するための最良の形態】
【００１３】
次に、本発明にかかる電話番号監視装置の実施の形態について図面を参照しながら詳細に説明するが、まず、本発明を適用する前の携帯通信端末等と公衆電話回線との間に介在するモデム制御処理装置について図１を参照しながら説明する。
【００１４】
このモデム制御処理装置は、パソコン通信を行うアプリケーション・ソフトウェア処理部１と、モデムドライバ処理部２と、ＡＴモデム回路３とで構成され、アプリケーション・ソフトウェア処理部１からの発信指示があると、モデムドライバ処理部２は、ＡＴモデム回路３に対して各種命令（ＡＴコマンド）を発行し、ＡＴモデム回路３でＡＴコマンドにより通信制御を行った後、その実行結果である応答（リザルトコード）をモデムドライバ処理部２が受け取り、アプリケーション・ソフトウェア処理部１に応答して一連の通信手順が完了する。
【００１５】
図２は、本発明にかかる電話番号監視装置の第１の実施の形態を示し、この電話番号監視装置は、図１に示したモデム制御処理装置のＡＴモデム回路２とモデムドライバ処理３との間に、電話番号監視処理部４として挿入されている。
【００１６】
この電話番号監視処理部４は、図３に示すように、図２のモデムドライバ処理部２から伝達されたＡＴコマンドを引き取る上位インタフェース処理部１１と、上位インタフェース処理部１１から取得したＡＴコマンドを解析し、それが発呼コマンド（ＡＴＤ＋電話番号Ｔａ）であるか否かを判定する発呼コマンド解析処理部１２と、発呼コマンド解析処理１２にて発呼コマンドであることが認識された場合に、推奨電話番号入力選択処理部１７によって予めメモリ記憶されており、比較対象として選択されている電話番号Ｔｎと、発呼コマンド解析処理１２にて取得した電話番号Ｔａとを比較する電話番号比較処理部１３を備える。電話番号比較処理部１３は、電話番号Ｔａと電話番号Ｔｎとが一致した場合に、推奨電話番号入力選択処理１７によって記憶されている電話番号に付加された名称を画面表示する。
【００１７】
また、電話番号監視処理部４は、電話番号比較処理部１３にて両電話番号Ｔａ、Ｔｎが一致した場合に、操作者に対して警告を与え、そのままＴａにて発呼するか、又はＴｎに置換して発呼するかを選択させるアラーム処理部１４と、アラーム処理部１４にてＴｎへ置換する処置を選択した場合に、発呼コマンド（ＡＴＤ＋電話番号Ｔａ）を推奨電話番号（ＡＴＤ＋電話番号Ｔｎ）に置換する電話番号パラメータ置換処理部１５と、図２のＡＴモデム回路３に対してＡＴコマンド又は送信データを出力し、その実行結果である応答（リザルトコード）又は受信データを入力し、上位インタフェース処理部１１に伝達する下位インタフェース処理部１６とを備える。
【００１８】
図４は、本発明における推奨電話番号選択画面であって、この推奨電話番号選択画面では、リスト選択方式を採用し、本リストに対して電話番号の追加・削除・変更機能を有し、電話番号に対して名称を付加する機能も有している。図４（ａ）は、選択した電話番号を確認する状態を示し、図４（ｂ）は、選択時のリスト選択状態を示したものである。
【００１９】
また、図５は、本発明における接続先の電話番号を表示する画面であり、図６は、接続先の電話番号を警告表示する画面である。
【００２０】
次に、上記構成を有する電話番号監視処理部４を含むモデム制御処理装置を内蔵した通信端末の動作について説明する。
【００２１】
まず、この通信端末の操作者は、移動前又は移動先にて、使用すべき電話番号を図４に示す推奨電話番号選択画面にて事前選択（あるいは追加登録）する。本例では、大阪に移動することから「ＷＮＥＴ大阪ブランチ、０６−１２３４−５６７８」が選択され、これが推奨電話番号Ｔｎとして扱われる。操作者は、移動先である大阪にて本通信端末におけるインターネット接続アプリケーション・ソフトウェアを使用し、接続先として、「０６−１２３４−５６７８」をキーボード入力（あるいは接続先一覧から選択）する。
【００２２】
これにより、本アプリケーション・ソフトウェアは、図２におけるモデムドライバ処理部２に対して通信における接続命令を発行することで、モデムドライバ処理部２は、本接続命令をＡＴコマンド（ＡＴＤ０６１２３４５６７８、ＡＴＤＰ０６１２３４５６７８、ＡＴＤＴ０６１２３４５６７８等）として生成し、図２における電話番号監視処理部４へと伝達する。
【００２３】
次に、図３を参照しながら、電話番号監視処理部４における継続動作について詳細に説明する。
【００２４】
まず、上位インタフェース処理部１１にてモデムドライバ処理部２から各種ＡＴコマンド及び送信データが引き取られ、発呼コマンド解析処理部１２へと伝達される。発呼コマンド解析処理部１２では、伝達されたＡＴコマンドを解析し、ダイヤルを実行する発呼コマンド（ＡＴＤ）であるか否かを判断する。この場合、送信データを含めた発呼コマンド以外については、すべて下位インタフェース処理部１６へと直接伝達され、発呼コマンドであった場合には、電話番号比較処理部１３の経路へ伝達される。
【００２５】
次に、電話番号比較処理部１３では、発呼コマンド内に含まれるパラメータの電話番号Ｔａと、前述の推奨電話番号Ｔｎとが比較され、一致する場合には、図５に示す一例の接続先表示が行われた後、発呼コマンドは、そのまま下位インタフェース処理部１６へと伝達される。本表示は、一致する推奨電話番号Ｔｎに対応する名称も併せて表示する。
【００２６】
しかし、電話番号Ｔａと推奨電話番号Ｔｎとが不一致であった場合には、アラーム処理部１４へと移り、図６に示す警告画面を表示し、操作者に対して、そのまま電話番号Ｔａで発呼して良いか、あるいは推奨電話番号に切り替えて発呼するかを問い合わせる。ここで、操作者が前者を選択した場合には、発呼コマンドは、そのまま下位インタフェース処理部１６へと伝達され、後者を選択した場合には、電話番号パラメータ置換処理部１５にて電話番号Ｔａを推奨電話番号Ｔｎに置換した後、下位インタフェース処理部１６へと伝達される。
【００２７】
最後に、下位インタフェース処理部１６では、各処理部から伝達されたＡＴコマンド及び送信データを、図２におけるＡＴモデム回路３へと出力し、ＡＴモデム回路３の実行結果としての応答（リザルトコード）及び受信データについては、上位インタフェース処理部１１へ直接戻され、図２のモデムドライバ処理部２へ出力される。
【００２８】
次に、本発明にかかる電話番号監視装置の第２の実施の形態について説明する。上記第１の実施の形態では、ソフトウェアによって処理していたが、本実施の形態ではハードウェアによって処理する。
【００２９】
図７は、本発明にかかる電話番号監視装置の第２の実施の形態を含む装置を示すブロック構成図であって、この装置は、通信端末２１と、通信端末２１に内蔵されたモデムの網制御回路におけるモジュラジャック２２と、電話番号監視ユニット２３と、これらを接続する電話線（モジュラプラグ付き）２４とで構成される。
【００３０】
電話番号監視ユニット２３は、図８に示すように、交換機の機能を擬似的に実現する疑似交換回路３１と、疑似交換回路３１にて検出した電話番号Ｔａ（ダイヤルパルス又はトーン信号による）及び、操作パネル３３にて設定された電話番号Ｔｎの入力とを比較し、網制御回路３４によって任意の電話番号にて発呼を行うＣＰＵ回路３２とを備える。
【００３１】
次に、上記構成を有する装置の動作について説明する。
【００３２】
まず、図７の通信端末２１においてインターネット接続アプリケーション・ソフトウェアにより発呼を行うと、内蔵されたモデムと、網制御回路３４によって発呼が実施される。そして、電話番号監視ユニット２３が接続されない場合には、そのままモジュラジャックから電話線を通じて公衆電話回線へ接続されることとなり、本アプリケーション・ソフトウェアにて指定した電話番号にて回線接続が行われる。一方、電話番号監視ユニット２３が接続された場合には、図８の疑似交換回路３１が公衆電話回線の交換機として擬似的に動作し、発呼された電話番号Ｔａを検出してＣＰＵ回路３２へ伝達する。
【００３３】
電話番号監視ユニット２３は、予め操作パネル３３にて任意の電話番号を設定する機能を有し、これが推奨電話番号Ｔｎとして採用されてＣＰＵ回路３２へと伝達される。
【００３４】
ＣＰＵ回路３２では、疑似交換回路３１から電話番号Ｔａが伝達されると、推奨電話番号Ｔｎと比較し、一致した場合には、網制御回路３４に対して電話番号Ｔａにて発呼制御を行い、不一致の場合には、操作パネル３３に設けられた警告ランプとブザーによって操作者に警告を与え、網制御回路３４に対して電話番号Ｔｎにて発呼制御を行う。このようにして、第１の実施の形態と同様の動作を実現することができる。
【図面の簡単な説明】
【００３５】
【図１】従来のモデム制御処理装置の一例を示すブロック構成図である。
【図２】本発明にかかる電話番号監視装置の第１の実施の形態を適用したモデム制御処理装置を示すブロック構成図である。
【図３】図２の電話番号監視処理部の詳細ブロック構成図である。
【図４】図２の電話番号監視処理部の推奨電話番号選択画面を示す図であって、（ａ）は、選択した電話番号を確認する状態を示し、（ｂ）は、選択時のリスト選択状態を示す。
【図５】図２の電話番号監視処理部の接続先表示画面を示す図である。
【図６】図２の電話番号監視処理部の接続先警告画面を示す図である。
【図７】本発明にかかる電話番号監視装置の第２の実施の形態を適用したモデム制御処理装置を示すブロック構成図である。
【図８】図７の電話番号監視ユニットの詳細ブロック構成図である。
【符号の説明】
【００３６】
１  アプリケーション・ソフトウェア処理部
２  モデムドライバ処理部
３  ＡＴモデム回路
４  電話番号監視処理部
１１  上位インタフェース処理部
１２  発呼コマンド解析処理部
１３  電話番号比較処理部
１４  アラーム処理部
１５  電話番号パラメータ置換処理部
１６  下位インタフェース処理部
１７  推奨電話番号入力選択処理部
２１  通信端末
２２  モジュラジャック
２３  電話番号監視ユニット
２４  電話線
３１  疑似交換回路
３２  ＣＰＵ回路
３３  操作パネル
３４  網制御回路
【図１】
2007104437.tif 000003
【図２】
2007104437.tif 000004
【図３】
2007104437.tif 000005
【図４】
2007104437.tif 000006
【図５】
2007104437.tif 000007
【図６】
2007104437.tif 000008
【図７】
2007104437.tif 000009
【図８】
2007104437.tif 000010